(57)【要約】【課題】哺乳瓶等の対象物を確実に保持できる挟持具を提供すること。【解決手段】支点部１１と、支点部から延伸するように形成された複数の腕部１２ａと、腕部の先端側に形成された当接部１４ａと、当接部に形成された滑り止め部１５ａと、を有し、滑り止め部の相対向する側に、凹凸部１５ａａが形成され、凹凸部は、その表面の中央部が最も高いアール形状を成し、腕部には、その長手方向に沿って腕部の剛性を高める剛性凸部１２ａａが形成されると共に、剛性凸部は、腕部の支点部側近傍から当接部近傍にわたり連続して形成されている挟持具１。【選択図】図１
2010119496.tif 000002
【特許請求の範囲】
【請求項１】
支点部と、
前記支点部から延伸するように形成された複数の腕部と、
前記腕部の先端側に形成された当接部と、
前記当接部に形成された滑り止め部と、を有し、
前記滑り止め部の相対向する側に、凹凸部が形成され、
前記凹凸部は、その表面の中央部が最も高いアール形状を成し、
前記腕部には、その長手方向に沿って前記腕部の剛性を高める剛性凸部が形成されると共に、前記剛性凸部は、前記腕部の前記支点部側近傍から前記当接部近傍にわたり連続して形成されていることを特徴とする挟持具。
【請求項２】
前記滑り止め部が樹脂から成ると共に、この滑り止め部が前記当接部の全体を覆うように形成されていることを特徴とする請求項１に記載の挟持具。
【請求項３】
前記腕部の幅は、支点部側から当接部側にかけて狭くなるように形成され、前記当接部の幅も腕部側から先端部にかけて徐々に細くなる先細形状となっていることを特徴とする請求項１又は請求項２に記載の挟持具。
【請求項４】
前記凹凸部の長手方向の表面のアール形状が、前記凹凸部の短手方向の表面のアール形状と相違する構成となっていることを特徴とする請求項１乃至請求項３のいずれかの記載の挟持具。
【発明の詳細な説明】
【技術分野】
【０００１】
本発明は、例えば哺乳瓶等を容器から取り出すための挟持具に関するものである。
【背景技術】
【０００２】
従来より、消毒容器内に収容された薬液に浸して哺乳瓶等を消毒することが行われている。このように消毒容器内の薬液に浸された哺乳瓶を取り出す際には、トング等の挟持具が用いられる（例えば、特許文献１）。
このようなトングは、例えば、基部を中心に略Ｕ字形に伸ばされた２つの支持腕を有し、これら２つの支持腕の先端には、滑り止め部が形成されている。このため、利用者は、このトングの２つの支持腕を保持し、２つの支持腕の先端で哺乳瓶を挟み、消毒容器内から取り出す構成となっている。
【特許文献１】特開２００３−１１７８４３号公報（図１等）
【発明の開示】
【発明が解決しようとする課題】
【０００３】
しかし、従来のトングでは、２つの支持腕の先端にある滑り止め部が十分に機能せず、哺乳瓶等を確実に保持できないという問題があった。また、これら２つの支持腕についても、利用者がどの部分を保持するかによって、その保持力が不十分となる場合あった。すなわち、支持腕の部分によっては、利用者が保持すると、支持腕が不必要に変形等し、十分な保持力を発揮できず、哺乳瓶等を確実に保持できないという問題があった。
【０００４】
そこで、哺乳瓶等の対象物を確実に保持できる挟持具を提供することを目的とする。
【課題を解決するための手段】
【０００５】
前記課題は、本発明によれば、支点部と、前記支点部から延伸するように形成された複数の腕部と、前記腕部の先端側に形成された当接部と、前記当接部に形成された滑り止め部と、を有し、前記滑り止め部の相対向する側に、凹凸部が形成され、前記凹凸部は、その表面の中央部が最も高いアール形状を成し、前記腕部には、その長手方向に沿って前記腕部の剛性を高める剛性凸部が形成されると共に、前記剛性凸部は、前記腕部の前記支点部側近傍から前記当接部近傍にわたり連続して形成されていることを特徴とする挟持具により達成される。
【０００６】
前記構成によれば、滑り止め部の相対向する側に、凹凸部が形成され、凹凸部は、その表面の中央部が最も高いアール形状を成している。このため、この凹凸部の表面のアール形状と異なる表面形状を有する挟持対象物に当接部を当接して挟持する際、凹凸部の凸部分等が変形して、挟持対象物の表面形状に合致するようになり、より確実に挟持することが可能となる。
特に、凹凸部の表面の中央部が最も高いアール形状を成していると、この挟持対象物の表面形状により合致させ易くなる。
すなわち、凹凸部表面の中央部が最も高いアール形状をしていることで、挟持対象物である例えば、哺乳瓶等の内面等の例えば、横断面のアール形状がゆるやかな箇所を保持する場合には、哺乳瓶等の内側と外側の両側に当接する各凹凸部の中央部にそれぞれ最も大きな挟持力が生じ、挟持具は、安定して哺乳瓶等を保持することができる。
一方、哺乳瓶等の内面等の例えば、横断面のアール形状が緩やかでない角部等の箇所では、凹凸部のアール形状と角部等のアール形状は大きく相違する。
このため、哺乳瓶等の外側に当接する凹凸部と内側に当接する凹凸部では当接の仕方が相違する。すなわち、哺乳瓶等の外側に当接する凹凸部は、その中央部がいち早く外側の表面に当接するため、その中央部に最も強い挟持力を発生させる。逆に、哺乳瓶等の内側に当接する凹凸部は、その中央部ではなく、その外周部がいち早く内側に当接するため、その外周部に強い挟持力を発生させる。
【０００７】
このように、哺乳瓶等のアール形状が緩やかでない角部等を挟持具で保持する際でも、外側に当接する凹凸部の中央部と、内側に当接する凹凸部の外周部によって、より広い範囲にわたり哺乳瓶等を保持するでき、強い挟持力を発生させることができる。
このように構成することで、挟持具が挟持する対象物である例えば、哺乳瓶等のうち、凹凸部が当接する表面である内面等のアール形状が平面に近いゆるやかな箇所であっても、角部等のきつい箇所であっても、凹凸部が哺乳瓶等の内面のアール形状に沿って変形でき、より確実に哺乳瓶等を保持することができる。
また、前記構成によれば、腕部には、その長手方向に沿って腕部の剛性を高める剛性凸部が形成されると共に、剛性凸部は、前記腕部の支点部側近傍から当接部近傍にわたり連続して形成されている。したがって、利用者が腕部のいずれかの部分を保持して、挟持対象物を挟持しようとしても、腕部にねじれ等の不必要な変形等が生じることがなく、確実な保持力を腕部に発生させることができる。
以上から、哺乳瓶等の対象物を確実に保持できる挟持具となる。
【０００８】
好ましくは、前記滑り止め部が樹脂から成ると共に、この滑り止め部が前記当接部の全体を覆うように形成されていることを特徴とする挟持具である。
【０００９】
前記構成によれば、滑り止め部が樹脂から成ると共に、この滑り止め部が当接部の全体を覆うように形成されているので、滑り止め部が当接部から剥離等して脱落等するのを未然に防ぐことができる。
【００１０】
好ましくは、前記腕部の幅は、支点部側から当接部側にかけて狭くなるように形成され、前記当接部の幅も腕部側から先端部にかけて徐々に細くなる先細形状となっていることを特徴とする挟持具である。
【００１１】
前記構成によれば、挟持具は、支点部側から当接部の先端部側にかけて、その幅が狭くなっているため、哺乳瓶等の容器はもとより、その他の小物等であっても保持し易い構成となっている。
また、前記構成の挟持具は、上述の請求項１の凹凸部や剛性凸部等の構成と相俟って、哺乳瓶等を確実に保持できる構成となっているため、たとえ、当接部の先端部側が狭くなっていても、十分に哺乳瓶等を保持できる。
さらに、挟持具の腕部の幅は、支点部側にかけて徐々に広くなるため、全体として所定の剛性が担保される構成となっている。
【００１２】
好ましくは、前記凹凸部の長手方向の表面のアール形状が、前記凹凸部の短手方向の表面のアール形状と相違する構成となっていることを特徴とする挟持具である。
【００１３】
前記構成によれば、凹凸部の長手方向の表面のアール形状が、凹凸部の短手方向の表面のアール形状と相違する。
凹凸部の長手方向のアール形状と短手方向のアール形状を相違させることで、様々な形状の哺乳瓶等を安定して保持することができる。すなわち、哺乳瓶等の内側に当接する凹凸部と外側に当接する凹凸部が互いに最も強い挟持力を発生させる当接面を違えることで、様々な形状の哺乳瓶等を安定して保持することができる。
【発明の効果】
【００１４】
本発明は、哺乳瓶等の対象物を確実に保持できる挟持具を提供することができるという利点がある。
【発明を実施するための最良の形態】
【００１５】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１６】
図１は、本発明の実施の形態に係る消毒ケース用トング１を示す概略斜視図である。図１に示す消毒ケース用トング１は、哺乳瓶用の図示しない消毒ケースと共に使用するものである。
すなわち、消毒ケースは、その内部に薬液を収容し、その後、この薬液に浸すように哺乳瓶を消毒ケースに入れることで、哺乳瓶を消毒可能な構成となっている。
そして、このような消毒が終了した後、哺乳瓶を消毒ケースから取り出す際に、図１に示す消毒ケース用トング１が使用されることになる。
【００１７】
消毒ケース用トング１は、図１に示すように、支点部１１を有し、この支点部１１から２本の長尺状の腕部１２ａ、１２ｂがそれぞれ形成されている。また、支点部１１には、図１に示すように、消毒ケース用トング１を消毒ケースの開口の縁部に引っ掛けて配置させるための係止片１１ａが形成されている。
また、腕部１２ａ、１２ｂのうち、支点部１１側と反対側の端部には、腕部１２ａ、１２ｂの端部から相互に近接する方向に屈曲して形成される屈曲部１３ａ、１３ｂが形成されている。
この屈曲部１３ａ、１３ｂのうち、腕部１２ａ、１２ｂとは反対側には、当接部１４ａ、１４ｂが、屈曲部１３ａ、１３ｂの屈曲方向とは交差する方向に沿って連接されている。
これら、支持部１１、腕部１２ａ、１２ｂ、屈曲部１３ａ、１３ｂ及び当接部１４ａ、１４ｂは、すべて同じ樹脂である例えば、ＡＢＳ樹脂やポリプロピレン樹脂等で形成されている。なお、剛性を高めるため、これらの樹脂にガラス繊維等を入れてもよい。
【００１８】
また、この当接部１４ａ、１４ｂには、それぞれ滑り止め部１５ａ、１５ｂが当接部１４ａ、１４ｂの全体を覆うように配置されている。
また、この滑り止め部１５ａ、１５ｂは、図１に示すように、それぞれの滑り止め部１５ａ、１５ｂが互いに対向して向き合う面である凹凸面１５ａａ、１５ｂａを有している。
図２（ａ）は、図１の滑り止め部１５ａ、１５ｂの凹凸面１５ａａ、１５ｂａ側から見た状態を示す概略図であり、（ｂ）は（ａ）の滑り止め部１５ａ、１５ｂを先端側から見た状態を示す概略図であり、（ｃ）は（ａ）の滑り止め部１５ａ、１５ｂを図１の上方から見た状態を示す概略図である。
図２に示すように、凹凸面１５ａａ等には、凹凸が形成され、その凸部分の高さは、図２（ｃ）に示すように、滑り止め部１５ａ等の厚みである例えば、９．４ｍｍに対して、２．５ｍｍの高さとなっている。
【００１９】
図３（ａ）は、図２（ｃ）を拡大して示した概略図であり、図３（ｂ）は、図２（ｂ）を拡大して示した概略図である。
図３に示すように、凹凸面１５ａａ、１５ｂａは、その中央部が最も高いアール形状を成している。
具体的には、図３（ａ）に示すように、図２（ｃ）の滑り止め部１５ａ等の長手方向における凹凸面１５ａａ等のアール形状が半径５５．００ｍｍとなっている。また、図３（ｂ）に示すように、図２（ｂ）の滑り止め部１５ａ等の短手方向における凹凸面１５ａａ等のアール形状が半径３９．９１ｍｍとなっている。
また、この滑り止め部１５ａ等は、例えば、硬度４０（ＪＩＳ  Ｋ６２５３）のスチレン系熱可塑性エラストマーで形成されている。
【００２０】
一方、腕部１２ａ、１２ｂには、その長手方向に沿って腕部１２ａ、１２ｂの剛性を高めるための剛性凸部１２ａａ、１２ｂａが形成されている。
図４は、図１の消毒ケース用トング１の概略平面図である。
図４に示すように、この剛性凸部１２ａａ、１２ｂａは、支点部１１側近傍から滑り止め部１５ａ、１５ｂ（当接部１４ａ、１４ｂ）側近傍にわたり連続して形成されている。
また、この剛性凸部は１２ａａ、１２ｂａは、図４に示すように、それぞれ各腕部１２ａ、１２ｂの内側と外側にそれぞれ突出するように形成されている。
このように腕部１２ａ、１２ｂに剛性凸部１２ａａ、１２ｂａを形成することで、腕部１２ａ、１２ｂの剛性を高める構成となっている。
【００２１】
また、腕部１２ａ、１２ｂは、図１に示すように、その幅が支点部１１側から滑り止め部１５ａ、１５ｂ側にかけて徐々に狭くなるように形成され、腕部１２ａ等と屈曲部１３ａ等を介して連接される当接部１４ａ等及び滑り止め部１５ａ等の幅も先端部にかけて徐々に細くなる先細形状となっている。
したがって、利用者が対象物を挟持するとき、操作するための指等を添える部分である腕部１２ａ等の支点部１１側の幅が、比較的太く形成されているので、利用者は保持するための力を入れやすい構成となっている。一方、実際に直接、対象物を挟持等する当接部１４ａ等及び滑り止め部１５ａ等にかけて、腕部１２ａ等、屈曲部１３ａ等は、徐々にその幅が細くなっているので、消毒ケース内の哺乳瓶のみならず、哺乳瓶に関する人工乳首等の小物類も挟持し易い構成となっている。このため、滑り止め部１５ａ等で小物類を挟持し易いく、且つ利用者が力を入れて挟持した小物類を保持し易い構成となっている。
【００２２】
また、たとえ滑り止め部１５ａ等や当接部１４ａ等の幅が狭くても、腕部１２ａ等は支点部１１側にかけて徐々に幅広に形成され、その側面には連続した剛性凸部１２ａａ等が形成されているので、消毒ケース用トング１全体の剛性は十分に担保されている。
したがって、利用者が上述のように、腕部１２ａ等の支点部１１側を保持して、保持対象である哺乳瓶等を挟持しようとして力を入れても、腕部１２ａ等にねじれ等の不必要な変形が生じることなく、確実な保持力を腕部１２ａ等に発生させることができ、滑り止め部１５ａ等が哺乳瓶等を確実に挟持できることとなる。
【００２３】
また、本実施の形態では、直接、哺乳瓶等に当接する滑り止め部１５ａ等が、図１に示すように、当接部１４ａ等の全体を覆うように形成されているので、上述のように、利用者が腕部１２ａ等を介して力を入れて、滑り止め部１５ａ等を哺乳瓶等の表面に押し付けても、その力で、滑り止め部１５ａ等が当接部１４ａ等から剥離し、脱落等することを未然に防止することができる。
【００２４】
以下、滑り止め部１５ａ等の機能を詳細に説明する。
図５（ａ）は、消毒ケース内に収容される挟持対象物である例えば、哺乳瓶１６を示す概略図である。図５（ａ）に示すように、哺乳瓶は、ミルクを挿入し、人工乳首等を装着するための開口１６を有し、その下側に、首部１６ｂを介して、胴部１６ｃがやや拡径して形成されている。
また、図５（ｂ）は、（ａ）の胴部１６ｃのＡ−Ａ’線断面における内径等を示す概略図である。
図５（ｂ）に示すように、胴部１６ｃのＡ−Ａ’線断面における内径は、半径２８ｍｍのアール形状となっている。
このような哺乳瓶１６を、消毒ケース用トング１で挟持するときは、消毒ケース用トング１の腕部１２ａ等の一方を哺乳瓶１６の開口１６ａに挿入し、滑り止め部１５ａを哺乳瓶１６の内面に当接させると共に、他方の滑り止め部１５ｂを哺乳瓶１６の外面に当接させる。
このとき、滑り止め部１５ａを哺乳瓶１６の図５の胴部１６ｃに当接させることが好ましい。なぜなら、哺乳瓶１６の首部１６ｂに滑り止め部１５ａ等を当接させると哺乳瓶１６の挟持が不安定となるからである。
【００２５】
一方、哺乳瓶１６の胴部１６ｃの内面と外面に滑り止め部１５ａ等を当接させるには、腕部１２ａ等を哺乳瓶１６の開口１６ａから首部１６ｂを介して奥側へ挿入し、相互に近接させる必要がある。このとき、首部１６ｃの屈曲部分が邪魔して、速やかに腕部１２ａ等を互いに近接させることできないおそれがある。
そこで、本実施の形態では、図１に示すように、腕部１２ａ等と滑り止め部１５ａ等との間には、屈曲部１３ａ等が形成され、哺乳瓶１６の首部１６ｂの存在にもかかわらず、円滑に滑り止め部１５ａ等で胴部１６ｃの内面と外面を挟持できる構成となっている。
【００２６】
また、消毒ケース用トング１の凹凸面１５ａａ等は、図３に示すように、その中央部が最も高いアール形状となり、凸部分が、図２（ｃ）に示すように、２．５ｍｍとなり、滑り止め部１５ａ等全体の厚みである９．４ｍｍの約３０％程度の深さを有している。
また、滑り止め部１５ａ等は、上述のように、柔らかい樹脂であるスチレン系熱可塑性エラストマーで形成されている。
したがって、利用者が図５の哺乳瓶１６を挟持しようとして、凹凸面１５ａａ等を哺乳瓶１６の胴部１６ｃの内面と外面に当接させると、凹凸面１５ａａ等は、先ず中央部が当接し、さらに、利用者が凹凸面１５ａａ等を内面と外面に押し付けると、凹凸面１５ａａ等の凸部分が変形し、その形状が外面や内面の形状と同様となり、隙間なく凹凸面１５ａａ等を外面や内面に当接させることができる。
したがって、凹凸面１５ａａ等を介して、確実に哺乳瓶１６を挟持することができることになる。
哺乳瓶１６が消毒ケース内で薬液に浸かっている場合は、一般に、薬液による膜が哺乳瓶１６の壁面に形成され、これがため凹凸面１５ａａ等が滑り、確実に哺乳瓶１６を挟持できないという問題があった。しかし、本実施の形態では、例え薬液があっても、凹凸面１５ａａ等の凸部分の側面が哺乳瓶１６の壁面に沿って変形することで、この薬液による膜を、凹凸面１５ａａ等と哺乳瓶１６の壁面との間に形成させないような構成となっている。したがって、例え、哺乳瓶１６が薬液に浸かっていても、確実に挟持することができる消毒ケース用トング１となっている。
この凹凸面１５ａａ等の凸部分は、本実施の形態では、上述のように、滑り止め部１５ａ等全体の厚みである９．４ｍｍの約３０％程度の深さを有しているが、これに限らず、１５％以上であれば良く、２５％乃至４０％が好ましい。
また、上述の凸部分の変形を考慮して、本実施の形態では、上述のように硬度４０のスチレン系熱可塑性エラストマーを用いているが、これに限らず、硬度６０以下の柔らかい樹脂であれば好適に適用できる。
【００２７】
特に、本実施の形態では、図３に示すように、凹凸面１５ａａ等の表面のアール形状が、長手方向で半径５５．００ｍｍ、短手方向で半径３９．９１ｍｍとなっている。
一方、哺乳瓶１６の内径は、半径２８．００のアール形状となっている。
したがって、アール５５．００ｍｍ、３９．９１ｍｍの凹凸面１５ａａ等が哺乳瓶１６の胴部１６ｃの内面及び外面に当接して、哺乳瓶１６のアール２８．００ｍｍに合致するまで変形するので、確実に哺乳瓶１６を挟持できる消毒ケース用トング１となる。
すなわち、凹凸面１５ａａ等の中央部が最も高いアール形状をしていることで、哺乳瓶１６の内面の例えば、横断面のアール形状がゆるやかな箇所を保持する場合には、哺乳瓶１６の内側と外側の両側に当接する各凹凸面１５ａａ等の中央部にそれぞれ最も大きな挟持力が生じ、挟持具は、安定して哺乳瓶等を保持することができる。
一方、哺乳瓶１６の内面の例えば、横断面のアール形状が緩やかでない角部等の箇所では、凹凸面１５ａａ等のアール形状と角部等のアール形状は大きく相違し、哺乳瓶１６の外側に当接する凹凸面１５ａａ等と内側に当接する凹凸面１５ａａ等では当接の仕方が相違する。
哺乳瓶１６の外側に当接する凹凸面１５ａａ等は、その中央部がいち早く外側の表面に当接するため、その中央部に最も強い挟持力を発生させる。逆に、哺乳瓶１６の内側に当接する凹凸部１５ａａ等は、その中央部ではなく、その外周部がいち早く内側に当接するため、その外周部に強い挟持力を発生させる。
このように、哺乳瓶１６のアール形状が緩やかでない角部等を消毒ケース用トング１で保持する際でも、外側に当接する凹凸面１５ａａ等の中央部と、内側に当接する凹凸面１５ａａ等の外周部によって、より広い範囲にわたり哺乳瓶等を保持するでき、強い挟持力を発生させることができる。
このように構成することで、消毒ケース用トング１が挟持する哺乳瓶１６のうち、凹凸面１５ａａ等が当接する表面である内面のアール形状が平面に近いゆるやかな箇所であっても、角部等のアール形状がきつい箇所であっても、凹凸面１５ａａ等が哺乳瓶１６の内面のアール形状に沿って変形でき、より確実に哺乳瓶等を保持することができる。
【００２８】
特に、本実施の形態は、凹凸面１５ａａ等の長手方向の表面のアール形状が半径５５．００ｍｍで、短手方向のアール形状が３９．９１となり、これらのアール形状が相違するように形成されている。
このように、凹凸面１５ａａ等の長手方向と短手方向のアール形状を異ならせることで、様々な形状の哺乳瓶を安定して保持することができる。すなわち、哺乳瓶の内側に当接する凹凸面１５ａａ等と外側に当接する凹凸面１５ｂａ等が互いに最も強い挟持力を発生させる当接面を違えることで、様々な形状の哺乳瓶等を安定して保持することができる構成となっている。
この場合において、好ましくは、凹凸面１５ａａ等の長手方向のアール形状が、短手方向のアール形状より緩やかであることが望ましい。
【００２９】
また、本発明では、凹凸面１５ａａ等の表面のアール形状が長手方向で半径５０乃至１００ｍｍ以上、短手方向で半径３０乃至５０ｍｍとした場合、哺乳瓶１６の内面のアール形状が半径１８乃至２８ｍｍまで対応することができる。
【００３０】
また、本実施の形態にかかる消毒ケース用トング１と従来品のトングとの使用比較実験を守秘義務を有する者１１名で実施した。
その結果、本実施の形態に係る消毒ケース用トング１が使い易いとした者が「６名」、消毒ケース用トング１がやや使い易いとした者が「３名」、どちらともいえないとした者が「１名」、従来品のトングがやや使い易いとした者が「１名」、従来品のトングが使い易いとした者が「０名」となった。
このように、実際の使用比較実験でも、本実施の形態にかかる消毒用トング１の優位性が証明された。
【００３１】
本発明は、上述の各実施の形態に限定されない。
【図面の簡単な説明】
【００３２】
【図１】本発明の実施の形態に係る消毒ケース用トングを示す概略斜視図である。
【図２】（ａ）は、図１の凹凸部の凹凸面側から見た状態を示す概略図であり、（ｂ）は（ａ）の凹凸部を先端側から見た状態を示す概略図であり、（ｃ）は（ａ）の凹凸部を図１の上方から見た状態を示す概略図である。
【図３】（ａ）は、図２（ｃ）を拡大して示した概略図であり、（ｂ）は、図２（ｂ）を拡大して示した概略図である。
【図４】図１の消毒ケース用トングの概略平面図である。
【図５】（ａ）は、消毒ケース内に収容される挟持対象物である例えば、哺乳瓶を示す概略図であり、（ｂ）は、（ａ）の胴部のＡ−Ａ’線断面における内径等を示す概略図である。
【符号の説明】
【００３３】
１・・・消毒ケース用トング、１１・・・支点部、１１ａ・・・係止部、１２ａ、１２ｂ・・・腕部、１２ａａ、１２ｂａ・・・剛性凸部、１３ａ、１３ｂ・・・屈曲部、１４ａ、１４ｂ・・・当接部、１５ａ、１５ｂ・・・凹凸部、１５ａａ、１５ｂａ・・・凹凸面、１６・・・哺乳瓶、１６ａ・・・開口、１６ｂ・・・首部、１６ｃ・・・胴部
【図１】
2010119496.tif 000003
【図２】
2010119496.tif 000004
【図３】
2010119496.tif 000005
【図４】
2010119496.tif 000006
【図５】
2010119496.tif 000007